(57)【要約】風力設備用の歯車装置軸（１）は、１つの固定軸受（２，３）と、少なくとも１つの浮動軸受（４）とによって支持される。歯車装置軸（１）には、半径方向で固定軸受（２，３）と浮動軸受（４）との間に配置される少なくとも１つの歯車（５）が固定される。固定軸受（２，３）は少なくとも１列のころ軸受で構成され、浮動軸受（４）は少なくとも１列の滑り軸受で構成される。【選択図】図１
2016540940.tif 000002
【特許請求の範囲】
【請求項１】
１つの固定軸受（２，３）と、少なくとも１つの浮動軸受（４）とで支持された歯車装置軸（１）であって、
半径方向で前記固定軸受（２，３）及び前記浮動軸受（４）の間に配置されるよう、前記歯車装置軸（１）に固定された少なくとも１つの歯車（５）を備え、
前記固定軸受（２，３）が、少なくとも１列のころ軸受によって構成され、
前記浮動軸受（４）が、少なくとも１列の滑り軸受によって構成されていることを特徴とする歯車装置軸。
【請求項２】
請求項１に記載の歯車装置軸において、前記固定軸受（２，３）が、予圧軸受であることを特徴とする歯車装置軸。
【請求項３】
少なくとも１つの平歯車段を有する風力設備用の歯車装置であって、少なくとも１つの平歯車段を備え、前記平歯車段が、請求項１又は２に記載の少なくとも１つの歯車装置軸（１）を有することを特徴とする歯車装置。
【請求項４】
請求項３に記載の歯車装置において、前記平歯車段が、請求項１又は２に記載の歯車装置軸としての中間軸（１）を備えることを特徴とする歯車装置。
【請求項５】
請求項３又は４に記載の歯車装置において、前記平歯車段が、請求項１又は２に記載の歯車装置軸としての入力軸を備えることを特徴とする歯車装置。
【請求項６】
請求項３〜５の何れか一項に記載の歯車装置において、前記平歯車段が、請求項１又は２に記載の歯車装置軸としての出力軸を備えることを特徴とする歯車装置。
【発明の詳細な説明】
【技術分野】
【０００１】
本発明は歯車装置軸用の軸受、特に風力設備を駆動する歯車装置軸用の軸受に関するものである。
【従来技術】
【０００２】
風力設備の歯車装置における平歯車段の軸を支持するための軸受として、固定／浮動軸受が一般的に用いられる。固定軸受及び浮動軸受によって転がり軸受が構成される。半径方向の力及び軸線方向の力を吸収する固定軸受は、１対の円錐転がり軸受によって構成される。これらは、予圧することによって滑りや事故の発生を防止することができる。浮動軸受としては、円筒ころ軸受が一般的に用いられる。これは予圧なしで動作される。よって、特に円筒ころ軸受は損傷を受けやすい。
【０００３】
軸受を、損傷を受けないよう軸上に堅固に支持する手段として、滑り軸受を使用することできる。例えば、風力設備のための解決策として、平歯車段の全ての軸を完全に滑り軸受で支持することが既知である。この場合には、滑り軸受を固定軸受としても使用する。しかしながら、半径方向及び軸線方向の力を吸収可能な滑り軸受は非常に高価である。
【発明の概要】
【０００４】
本発明の課題は、先行技術によって知られる解決策の短所を回避できる歯車装置軸用の軸受を提案することである。
【０００５】
本発明は、単一の軸にころ軸受と滑り軸受を組み合わせるという着想に基づくものである。ころ軸受及び滑り軸受は、何れも長所と短所がある。従って、ころ軸受と滑り軸受の組み合わせによって短所が重なることもあり得る。しかしながら、本発明によれば、個々の軸受の短所が具現化されない軸受を実現することができる。むしろ、本発明による歯車装置軸の軸受は、一方ではころ軸受の長所、そして他方では滑り軸受の長所に基づく利点を享受するものである。
【０００６】
本発明による歯車装置軸は、１つの固定軸受と、少なくとも１つの浮動軸受とで支持される。固定軸受は、半径方向の力及び軸線方向の力をプラス方向及びマイナス方向に吸収することができる。すなわち、軸の並進浮動度は全て固定軸受により制限される。
【０００７】
浮動軸受は、もっぱら半径方向の力をプラス及びマイナスの両方向に吸収することができる。また、浮動軸受は、軸の並進自由度を１方向のみに制限する。浮動軸受は、固定軸受と共に各軸線に沿って軸を固定する、つまり、軸の回転軸線と直交する軸線周りでの回転自由度を制限する。
【０００８】
歯車装置軸に固定された少なくとも１つの歯車は、固定軸受と浮動軸受の間に半径方向に配置される。この歯車は、歯車装置軸と堅固に連結される。歯車の回転軸線は、歯車装置軸の回転軸線と同軸である。この歯車は、好適にははすば歯車である。歯車が固定軸受と浮動軸受の間に半径方向に配置されるということは、歯車が固定軸受と浮動軸受の間の空間に存在することを意味している。特に、歯車装置軸の回転軸線に対する直交面内で半径方向に見たとき、歯車の外径は、浮動軸受の外径と固定軸受の外径との間に存在する。
【０００９】
固定軸受は、少なくとも１列のころ軸受によって構成される。好適には、固定軸受はころ軸受のみによって、特に厳密には２列のころ軸受によって構成される。
【００１０】
本発明によれば、浮動軸受は、少なくとも１つの滑り軸受、好適には厳密に単一の滑り軸受によって構成される。
【００１１】
本発明の好適な実施形態では、固定軸受は予圧軸受として構成される。１つの予圧軸受は２列の軸受を有し、各列の軸受はそれぞれ少なくとも１つの軸線方向の力を吸収することができる。従って両方向における軸線方向の力の吸収は相互に対向して、すなわち、相互に離れたり近づいたりして行われる。好適には、２つの軸受は相互に左右対称に配置される。所望する軸受隙間又は予圧を設定するために、２列の軸受のうち、１列の軸受の軌道輪（内輪又は外輪）をその受け座に移して固定する。好適には２列の円錐ころ軸受を使用する。これらの軸受は、相互にＯ型に配列することもできるが、好適にはＸ型に配列する。
【００１２】
本発明による歯車装置軸は、特に風力設備の歯車装置における平歯車段での使用に適している。また、本発明による歯車装置軸は、中間軸としても使用することができる。ここに「中間軸」とは、入力軸又は駆動軸や、出力軸又は従動軸以外の軸を指す。
【００１３】
更に本発明による歯車装置軸は入力軸又は駆動軸や、出力軸又は従動軸として使用することができる。特に、入力軸又は駆動軸や、出力軸又は従動軸としての使用を、中間軸としての使用と組み合わせることも可能である。
【００１４】
以下、図面を参照して本発明の実施形態を更に詳述する。
【図面の簡単な説明】
【００１５】
【図１】ころ軸受及び滑り軸受けで支持された中間軸を示す図である。
【発明を実施するための形態】
【００１６】
図１において、中間軸１は、右側で固定軸受によって支持されている。固定軸受は、第１円錐ころ軸受２と、第２円錐ころ軸受３とで構成されている。
【００１７】
図１の左側では、中間軸１が、滑り軸受４で構成される浮動軸受によって支持されている。中間軸１は、更に歯車５を有している。図示しないが、更なる歯車が受け部６にフェザーキー溝７で固定される。中間軸１には種々の構成要素が軸線方向に配列されており、その配列は、図１の左側から右側にかけて、下記のとおりである。
【００１８】
滑り軸受４、受け座６、歯車５、第１円錐ころ軸受２、第２円錐ころ軸受３。 
【００１９】
第１円錐ころ軸受２及び第２円錐ころ軸受３は、歯車装置ハウジング９の肩部８と、歯車装置ハウジングにねじ止めされた軸受カバー１０との間で軸線方向に固定されている。図１では所定の隙間をもって固定されている。代替的に、隙間のない状態で、すなわち予圧下で固定することもできる。
【００２０】
図１は、滑り軸受４を固定するための二通りの態様を示している。図１の上半部に示す第１の態様において、歯車装置ハウジング９は、中間軸１の回転軸の周りに延在する環状溝１１を備えることができる。この場合、滑り軸受４は、外面上で円周方向に延在する隆起部又はリッジ１２を備え、この隆起部又はリッジ１２は環状溝１１と係合する。
【００２１】
また、図１の下半部に示す第２の態様において、滑り軸受４は、中間軸の回転軸の周りに半径方向に延在するブランジ部１３によって、その一部が固定される。フランジ部１３は、歯車装置ハウジング９にねじ止めされるものである。
【符号の説明】
【００２２】
１  中間軸
２  円錐ころ軸受
３  円錐ころ軸受
４  滑り軸受
５  歯車
６  受け座
７  フェザーキー溝
８  肩部
９  歯車装置ハウジング
10  軸受カバー
11  溝
12  リッジ
13  フランジ部
【図１】
2016540940.tif 000003
【国際調査報告】
2016540940.tif 000004
2016540940.tif 000005
2016540940.tif 000006
2016540940.tif 000007
2016540940.tif 000008
2016540940.tif 000009